(57)【特許請求の範囲】
【請求項１】
地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、
衛星系ＲＦ信号と地上系ＲＦ信号の変換を行う中継装置とを備える移動体通信システムであって、
前記携帯電話機は、
前記地上系システムと前記衛星系システムの信号を送受信する共用アンテナと、
前記共用アンテナに接続され送受信信号を分波するデュプレクサと、
前記デュプレクサの出力を切り替える第１のスイッチと、
前記第１のスイッチに接続された衛星系受信高周波部と、
前記第１のスイッチに接続された地上系受信高周波部と、
前記衛星系受信高周波部と前記地上系受信高周波部に接続された第２のスイッチと、
前記第２のスイッチに接続された受信ＩＦ回路と、
前記受信ＩＦ回路の出力を復調する復調器と、
前記復調器の復調出力が入力されるベースバンド処理部と、
前記ベースバンド処理部の出力を変調する変調器と、
前記変調器に接続された送信ＩＦ回路と、
前記受信ＩＦ回路と前記送信ＩＦ回路にローカル信号を供給するシンセサイザと、
前記送信ＩＦ回路に接続された第３のスイッチと、
前記第３のスイッチに接続された衛星系送信高周波部と、
前記第３のスイッチに接続された地上系送信高周波部と、
前記衛星系送信高周波部と前記地上系送信高周波部に接続され出力が前記デュプレクサに供給される第４のスイッチと、
第１の制御信号により前記地上系受信高周波部及び前記地上系送信高周波部が接続されるように前記第１、第２、第３、及び第４のスイッチを制御し、第２の制御信号により前記シンセサイザが前記地上系ＲＦ信号をＩＦ信号に変換するのに適したローカル信号を発生するように制御し、第３の制御信号により前記復調器及び前記変調器を前記地上系システムの変復調方式になるように制御して前記地上系システムの同期語を検出したときは地上系で動作し、
前記地上系システムの同期語を検出しないときには、前記第１の制御信号により前記衛星系受信高周波部及び前記衛星系送信高周波部が接続されるように前記第１、第２、第３、及び第４のスイッチを制御し、前記第２の制御信号により前記シンセサイザが前記衛星系ＲＦ信号をＩＦ信号に変換するのに適したローカル信号を発生するように制御し、前記第３の制御信号により前記復調器及び前記変調器を前記衛星系システムの変復調方式になるように制御して前記地上系システムの同期語とは異なる、前記衛星系システムの同期語を検出したときは衛星系で動作し、
前記衛星系システムの同期語を検出しないときには、前記第１の制御信号により前記地上系受信高周波部及び前記地上系送信高周波部が接続されるように前記第１、第２、第３、及び第４のスイッチを制御し、前記第２の制御信号により前記シンセサイザが前記地上系ＲＦ信号をＩＦ信号に変換するのに適したローカル信号を発生するように制御し、前記第３の制御信号により前記復調器及び前記変調器を前記衛星系システムの変復調方式になるように制御して前記衛星系システムの同期語を検出したときは衛星中継系で動作するＣＰＵとを有するとともに、
前記中継装置は、
地上系システムが使用不可能であって衛星系システムの人工衛星が見通せる場所に設置され、
前記衛星系の信号を送受信する衛星系アンテナと、
前記衛星系アンテナに接続され送受信信号を分波する第１のデュプレクサと、
前記第１のデュプレクサに接続され受信信号を増幅する衛星系の低雑音増幅器と、
前記衛星系の低雑音増幅器に接続され受信信号を周波数変換するダウンコンバータと、
前記ダウンコンバータに接続され前記周波数変換された受信信号を増幅する地上系の高出力増幅器と、
前記地上系の高出力増幅器に接続され送受信信号を分波する第２のデュプレクサと、
前記第２のデュプレクサに接続され前記地上系の信号を送受信する地上系アンテナと、
前記第２のデュプレクサに接続され送信信号を増幅する地上系の低雑音増幅器と、
前記地上系の低雑音増幅器に接続され送信信号を周波数変換するアップコンバータと、
前記アップコンバータに接続され前記周波数変換された送信信号を増幅する衛星系の高出力増幅器とを有する
移動体通信システム。
【請求項２】
地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、
衛星系ＲＦ信号と地上系ＲＦ信号の変換を行う中継装置とを備える移動体通信システムであって、
前記携帯電話機は、
前記衛星系システムの信号を送受信する衛星系アンテナと、
前記地上系システムの信号を送受信する地上系アンテナと、
前記衛星系アンテナに接続され衛星系の送受信信号を分波する第１のデュプレクサと、
前記地上系アンテナに接続され地上系の送受信信号を分波する第２のデュプレクサと、
前記第１のデュプレクサに接続された衛星系受信高周波部と、
前記第２のデュプレクサに接続された地上系受信高周波部と、
前記衛星系受信高周波部と前記地上系受信高周波部に接続された第１のスイッチと、
前記第１のスイッチに接続された受信ＩＦ回路と、
前記受信ＩＦ回路の出力を復調する復調器と、
前記復調器の復調出力が入力されるベースバンド処理部と、
前記ベースバンド処理部の出力を変調する変調器と、
前記変調器に接続された送信ＩＦ回路と、
前記受信ＩＦ回路と前記送信ＩＦ回路にローカル信号を供給するシンセサイザと、
前記送信ＩＦ回路に接続された第２のスイッチと、
前記第２のスイッチに接続され出力が前記第１のデュプレクサに供給される衛星系送信高周波部と、
前記第２のスイッチに接続され出力が前記第２のデュプレクサに供給される地上系送信高周波部と、
第１の制御信号により前記地上系受信高周波部及び前記地上系送信高周波部が接続されるように前記第１、及び第２のスイッチを制御し、第２の制御信号により前記シンセサイザが前記地上系ＲＦ信号をＩＦ信号に変換するのに適したローカル信号を発生するように制御し、第３の制御信号により前記復調器及び前記変調器を前記地上系システムの変復調方式になるように制御して前記地上系システムの同期語を検出したときは地上系で動作し、
前記地上系システムの同期語を検出しないときには、前記第１の制御信号により前記衛星系受信高周波部及び前記衛星系送信高周波部が接続されるように前記第１、及び第２のスイッチを制御し、前記第２の制御信号により前記シンセサイザが前記衛星系ＲＦ信号をＩＦ信号に変換するのに適したローカル信号を発生するように制御し、前記第３の制御信号により前記復調器及び前記変調器を前記衛星系システムの変復調方式になるように制御して前記地上系システムの同期語とは異なる、前記衛星系システムの同期語を検出したときは衛星系で動作し、
前記衛星系システムの同期語を検出しないときには、前記第１の制御信号により前記地上系受信高周波部及び前記地上系送信高周波部が接続されるように前記第１、及び第２のスイッチを制御し、前記第２の制御信号により前記シンセサイザが前記地上系ＲＦ信号をＩＦ信号に変換するのに適したローカル信号を発生するように制御し、前記第３の制御信号により前記復調器及び前記変調器を前記衛星系システムの変復調方式になるように制御して前記衛星系システムの同期語を検出したときは衛星中継系で動作するＣＰＵとを有するとともに、
前記中継装置は、
地上系システムが使用不可能であって衛星系システムの人工衛星が見通せる場所に設置され、
前記衛星系の信号を送受信する衛星系アンテナと、
前記衛星系アンテナに接続され送受信信号を分波する第１のデュプレクサと、
前記第１のデュプレクサに接続され受信信号を増幅する衛星系の低雑音増幅器と、
前記衛星系の低雑音増幅器に接続され受信信号を周波数変換するダウンコンバータと、
前記ダウンコンバータに接続され前記周波数変換された受信信号を増幅する地上系の高出力増幅器と、
前記地上系の高出力増幅器に接続され送受信信号を分波する第２のデュプレクサと、
前記第２のデュプレクサに接続され前記地上系の信号を送受信する地上系アンテナと、
前記第２のデュプレクサに接続され送信信号を増幅する地上系の低雑音増幅器と、
前記地上系の低雑音増幅器に接続され送信信号を周波数変換するアップコンバータと、
前記アップコンバータに接続され前記周波数変換された送信信号を増幅する衛星系の高出力増幅器とを有する
移動体通信システム。
【請求項３】
地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、
衛星系ＲＦ信号と地上系ＲＦ信号の変換を行う中継装置とを備える移動体通信システムであって、
前記携帯電話機は、
前記地上系システムと前記衛星系システムの信号を送受信する共用アンテナと、
前記共用アンテナに接続され送受信信号を分波するデュプレクサと、
前記デュプレクサに接続され前記地上系システム及び前記衛星系システムの受信信号を共用処理できる受信高周波部と、
前記受信高周波部に接続された受信ＩＦ回路と、
前記受信ＩＦ回路の出力を復調する復調器と、
前記復調器の復調出力が入力されるベースバンド処理部と、
前記ベースバンド処理部の出力を変調する変調器と、
前記変調器に接続された送信ＩＦ回路と、
前記受信ＩＦ回路と前記送信ＩＦ回路にローカル信号を供給するシンセサイザと、
前記送信ＩＦ回路に接続され前記地上系システム及び前記衛星系システムの送信信号を共用処理でき出力が前記デュプレクサに供給される送信高周波部と、
第１の制御信号により前記シンセサイザが前記地上系ＲＦ信号をＩＦ信号に変換するのに適したローカル信号を発生するように制御し、第２の制御信号により前記復調器及び前記変調器を前記地上系システムの変復調方式になるように制御して前記地上系システムの同期語を検出したときは地上系で動作し、
前記地上系システムの同期語を検出しないときには、前記第１の制御信号により前記シンセサイザが前記衛星系ＲＦ信号をＩＦ信号に変換するのに適したローカル信号を発生するように制御し、前記第２の制御信号により前記復調器及び前記変調器を前記衛星系システムの変復調方式になるように制御して前記地上系システムの同期語とは異なる、前記衛星系システムの同期語を検出したときは衛星系で動作し、
前記衛星系システムの同期語を検出しないときには、前記第１の制御信号により前記シンセサイザが前記地上系ＲＦ信号をＩＦ信号に変換するのに適したローカル信号を発生するように制御し、前記第２の制御信号により前記復調器及び前記変調器を前記衛星系システムの変復調方式になるように制御して前記衛星系システムの同期語を検出したときは衛星中継系で動作するＣＰＵとを有するとともに、
前記中継装置は、
地上系システムが使用不可能であって衛星系システムの人工衛星が見通せる場所に設置され、
前記衛星系の信号を送受信する衛星系アンテナと、
前記衛星系アンテナに接続され送受信信号を分波する第１のデュプレクサと、
前記第１のデュプレクサに接続され受信信号を増幅する衛星系の低雑音増幅器と、
前記衛星系の低雑音増幅器に接続され受信信号を周波数変換するダウンコンバータと、
前記ダウンコンバータに接続され前記周波数変換された受信信号を増幅する地上系の高出力増幅器と、
前記地上系の高出力増幅器に接続され送受信信号を分波する第２のデュプレクサと、
前記第２のデュプレクサに接続され前記地上系の信号を送受信する地上系アンテナと、
テナと、
前記第２のデュプレクサに接続され送信信号を増幅する地上系の低雑音増幅器と、
前記地上系の低雑音増幅器に接続され送信信号を周波数変換するアップコンバータと、
前記アップコンバータに接続され前記周波数変換された送信信号を増幅する衛星系の高出力増幅器とを有する
移動体通信システム。
【発明の詳細な説明】
技術分野
この発明は、地上系と衛星系の両方で使用できる携帯電話機及びその中継装置を備えた移動体通信システムに関するものである。
背景技術
従来の携帯電話機及びその中継装置を備えた移動体通信システムについて図面を参照しながら説明する。図６は、例えば、特開平８−７０２６２号公報に示された従来の携帯電話機の概略構成を示すブロック図である。
図６において、１は地上系アンテナ／高周波ユニット、２は地上系アンテナ／高周波ユニット１のインターフェース、３は衛星系アンテナ／高周波ユニット、４は衛星系アンテナ／高周波ユニット３のインターフェース、５は無線制御ユニット、６は地上系アンテナ／高周波ユニット１又は衛星系アンテナ／高周波ユニット３と無線制御ユニット５を接続するインターフェースである。
また、図７は、従来の携帯電話機の地上系アンテナ／高周波ユニットと無線制御ユニットの詳細構成を示すブロック図である。
図７において、７は地上系のアンテナ、８は高周波部である。また、９は受信ＩＦ回路、１０は受信ＩＦ回路９の出力信号を復調する復調器、１１は復調器１０の出力信号を処理するベースバンド処理部、１２はベースバンド処理部１１からの信号を変調する変調器、１３は変調器１２の出力信号を送信ＩＦ信号に変換する送信ＩＦ回路である。さらに、１４はベースバンド処理部１１に接続されたキーボード、１５はベースバンド処理部１１からの信号を表示する表示器、１６はベースバンド処理部１１に接続された送受話器である。
さらに、図８は、例えば、特開平８−７０２６２号公報に示された従来の携帯電話機の中継装置の構成を示すブロック図である。
図８において、１７は衛星系アンテナ／高周波ユニット、１８は衛星系アンテナ、１９は高周波部、２０はインターフェースである。また、２１は衛星系アンテナ／高周波ユニット１７に接続された中継器、２２はインターフェース、２３は高周波変換部、２４はインターフェースである。さらに、２５は中継器２１に接続された地上系アンテナ／高周波ユニット、２６は地上系アンテナ、２７は高周波部、２８はインターフェースである。
次に、従来の携帯電話機及びその中継装置を備えた移動体通信システムの動作について説明する。一台で地上系と衛星系の両方の移動体通信システムで用いることができる携帯電話機、いわゆるデュアルモード携帯電話機は、地上系と衛星系の異なるシステム双方で動作する必要がある。
一般に、地上系システムと衛星系システムでは、無線インターフェース、例えば送受信周波数や変復調方式、情報伝送速度などが異なっている。
このため、デュアルモード携帯電話機においては、アンテナや高周波部を地上系システムに対応したものと、衛星系システムに対応したものの２系統を備えている。また、図６に示すように、地上系アンテナ／高周波ユニット１と衛星系アンテナ／高周波ユニット３を付け替えて使用している。
図６の従来装置では、地上系システムで携帯電話機を使用する場合には無線制御ユニット５に地上系アンテナ／高周波ユニット１を接続して使用し、衛星系システムで携帯電話機を使用する場合には無線制御ユニット５に衛星系アンテナ／高周波ユニット３を接続して使用する。
図７は無線制御ユニット５に地上系アンテナ／高周波ユニット１を接続した場合の詳細な構成を示すブロック図である。地上系システムからの受信波は、アンテナ７で受信され、高周波部８でＩＦ信号に変換される。
このＩＦ信号は、インターフェース２及び６を経由して受信ＩＦ回路９を通り、復調器１０で復調される。この復調信号は、ベースバンド処理部１１により音声信号に変換され、送受話器１６に送られる。
逆に、送受話器１６より入力された音声信号は、ベースバンド処理部１１で処理された後、変調器１２で変調される。この変調信号は、送信ＩＦ回路１３で送信ＩＦ信号に変換されインターフェース６及び２を経由して高周波部８に送られる。
高周波部８では、この送信ＩＦ信号を地上系システムの無線インターフェースにあった周波数に変換し、アンテナ７より発信する。
地上系システムでは、無線周波数として例えば９００ＭＨｚ帯が用いられ、高周波部８は９００ＭＨｚ帯の周波数をＩＦ周波数に変換する役割を果たす。
一方、携帯電話機を衛星系システムで使用する場合には、衛星系アンテナ／高周波ユニット３が、地上系アンテナ／高周波ユニット１の代わりに無線制御ユニット５のインターフェース６に接続される。
衛星系アンテナ／高周波ユニット３においても、内部の構成は地上系アンテナ／高周波ユニット１と同様である。この場合には、高周波部は衛星系システムで用いられる周波数、例えば１．６ＧＨｚ帯や２ＧＨｚ帯の周波数をＩＦ周波数に変換する役割を果たす。
また、地上系システムと衛星系システムでは、一般に、変調方式や情報伝送速度、プロトコルが異なるため、これらを切り替える必要がある。このため、地上系アンテナ／高周波ユニット１又は衛星系アンテナ／高周波ユニット３から復調制御信号ａ及び変調制御信号ｂを、無線制御ユニット５内の復調器１０や変調器１２、ベースバンド処理部１１に送ってこれらを切り替えている。
復調制御信号ａ及び変調制御信号ｂは、地上系又は衛星系アンテナ／高周波ユニットから出力され、地上系アンテナ／高周波ユニット１からは地上系システムに対応した復調制御信号ａ及び変調制御信号ｂが、衛星系アンテナ／高周波ユニット３からは衛星系システムに対応した復調制御信号ａ及び変調制御信号ｂが出力される。
デュアルモード携帯電話機では、地上系システムが使用可能な場所では地上系システムが使用され、地上系システムが使用不可能な場所においては衛星系システムを使用することが多い。しかしながら、衛星系システムにおいては衛星が直接見通せない地下や屋内では携帯電話機単独でシステムを利用することができず、図８に示すような衛星中継装置を用いることが考えられる。
地上系システムが利用できない場所で、しかも衛星が直接見通せない屋内等で携帯電話機を使用する場合、この衛星中継装置を衛星が見通せる窓際等に設置し衛星系システムを屋内で使用することができるようになる。
この場合には、携帯電話機としては無線制御ユニット５に地上系アンテナ／高周波ユニット１を接続し、携帯電話機を地上系システムとして動作させる。一方、衛星系システムからの受信信号は、衛星中継装置の衛星系アンテナ１８により受信され、高周波部１９でＩＦ信号に変換される。
このＩＦ信号は、インターフェース２０及び２２を介して周波数変換部２３に入力され周波数変換を施された後、インターフェース２４及び２８を介して地上系アンテナ／高周波ユニット２５に入力される。
この地上系アンテナ／高周波ユニット２５では、高周波変換を施されたＩＦ信号を高周波部２７で再び地上系の無線周波数に変換した後、アンテナ２６より送信される。
この地上系の電波が携帯電話機の地上系アンテナ７で受信され、衛星からの受信信号が携帯電話機で正しく受信される。携帯電話機からの送信信号もこの逆の経路を通って行われ、衛星と携帯電話機の間で正しい通信が行われる。
上述した従来の移動体通信システムでは、中継装置を使用して屋内等で衛星系システムを利用している場合に、直接、衛星系システムを利用しようと思うと地上系アンテナ／高周波ユニット１と衛星系アンテナ／高周波ユニット３を付け替えて携帯電話機を使用しなければならないという問題点があった。
また、従来の移動体通信システムでは、地上系システムと衛星系システムで変調方式等の無線のインターフェースが異なる場合には中継装置は単なる周波数変換ではなく変調方式の変換も必要となるという問題点があった。
この発明は、前述した問題点を解決するためになされたもので、アンテナ／高周波ユニットを付け替えることなく、地上系システムと衛星系システムとを自動的に切り替えて使用することができる携帯電話機を備えた移動体通信システムを得ることを目的とする。
また、この発明は、前述した問題点を解決するためになされたもので、屋内で衛星系システムを利用する場合に簡易な構成とすることができる携帯電話機の中継装置を備えた移動体通信システムを得ることを目的とする。
発明の開示
この発明に係る移動体通信システムは、地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、衛星系ＲＦ信号と地上系ＲＦ信号の変換を行う中継装置とを備える移動体通信システムであって、前記携帯電話機は、前記地上系システムと前記衛星系システムの信号を送受信する共用アンテナと、前記共用アンテナに接続され送受信信号を分波するデュプレクサと、前記デュプレクサの出力を切り替える第１のスイッチと、前記第１のスイッチに接続された衛星系受信高周波部と、前記第１のスイッチに接続された地上系受信高周波部と、前記衛星系受信高周波部と前記地上系受信高周波部に接続された第２のスイッチと、前記第２のスイッチに接続された受信ＩＦ回路と、前記受信ＩＦ回路の出力を復調する復調器と、前記復調器の復調出力が入力されるベースバンド処理部と、前記ベースバンド処理部の出力を変調する変調器と、前記変調器に接続された送信ＩＦ回路と、前記受信ＩＦ回路と前記送信ＩＦ回路にローカル信号を供給するシンセサイザと、前記送信ＩＦ回路に接続された第３のスイッチと、前記第３のスイッチに接続された衛星系送信高周波部と、前記第３のスイッチに接続された地上系送信高周波部と、前記衛星系送信高周波部と前記地上系送信高周波部に接続され出力が前記デュプレクサに供給される第４のスイッチと、第１の制御信号により前記地上系受信高周波部及び前記地上系送信高周波部が接続されるように前記第１、第２、第３、及び第４のスイッチを制御し、第２の制御信号により前記シンセサイザが前記地上系ＲＦ信号をＩＦ信号に変換するのに適したローカル信号を発生するように制御し、第３の制御信号により前記復調器及び前記変調器を前記地上系システムの変復調方式になるように制御して前記地上系システムの同期語を検出したときは地上系で動作し、前記地上系システムの同期語を検出しないときには、前記第１の制御信号により前記衛星系受信高周波部及び前記衛星系送信高周波部が接続されるように前記第１、第２、第３、及び第４のスイッチを制御し、前記第２の制御信号により前記シンセサイザが前記衛星系ＲＦ信号をＩＦ信号に変換するのに適したローカル信号を発生するように制御し、前記第３の制御信号により前記復調器及び前記変調器を前記衛星系システムの変復調方式になるように制御して前記地上系システムの同期語とは異なる、前記衛星系システムの同期語を検出したときは衛星系で動作し、前記衛星系システムの同期語を検出しないときには、前記第１の制御信号により前記地上系受信高周波部及び前記地上系送信高周波部が接続されるように前記第１、第２、第３、及び第４のスイッチを制御し、前記第２の制御信号により前記シンセサイザが前記地上系ＲＦ信号をＩＦ信号に変換するのに適したローカル信号を発生するように制御し、前記第３の制御信号により前記復調器及び前記変調器を前記衛星系システムの変復調方式になるように制御して前記衛星系システムの同期語を検出したときは衛星中継系で動作するＣＰＵとを有するとともに、前記中継装置は、地上系システムが使用不可能であって衛星系システムの人工衛星が見通せる場所に設置され、前記衛星系の信号を送受信する衛星系アンテナと、前記衛星系アンテナに接続され送受信信号を分波する第１のデュプレクサと、前記第１のデュプレクサに接続され受信信号を増幅する衛星系の低雑音増幅器と、前記衛星系の低雑音増幅器に接続され受信信号を周波数変換するダウンコンバータと、前記ダウンコンバータに接続され前記周波数変換された受信信号を増幅する地上系の高出力増幅器と、前記地上系の高出力増幅器に接続され送受信信号を分波する第２のデュプレクサと、前記第２のデュプレクサに接続され前記地上系の信号を送受信する地上系アンテナと、前記第２のデュプレクサに接続され送信信号を増幅する地上系の低雑音増幅器と、前記地上系の低雑音増幅器に接続され送信信号を周波数変換するアップコンバータと、前記アップコンバータに接続され前記周波数変換された送信信号を増幅する衛星系の高出力増幅器とを有するものである。
また、この発明に係る移動体通信システムは、地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、衛星系ＲＦ信号と地上系ＲＦ信号の変換を行う中継装置とを備える移動体通信システムであって、前記携帯電話機は、前記衛星系システムの信号を送受信する衛星系アンテナと、前記地上系システムの信号を送受信する地上系アンテナと、前記衛星系アンテナに接続され衛星系の送受信信号を分波する第１のデュプレクサと、前記地上系アンテナに接続され地上系の送受信信号を分波する第２のデュプレクサと、前記第１のデュプレクサに接続された衛星系受信高周波部と、前記第２のデュプレクサに接続された地上系受信高周波部と、前記衛星系受信高周波部と前記地上系受信高周波部に接続された第１のスイッチと、前記第１のスイッチに接続された受信ＩＦ回路と、前記受信ＩＦ回路の出力を復調する復調器と、前記復調器の復調出力が入力されるベースバンド処理部と、前記ベースバンド処理部の出力を変調する変調器と、前記変調器に接続された送信ＩＦ回路と、前記受信ＩＦ回路と前記送信ＩＦ回路にローカル信号を供給するシンセサイザと、前記送信ＩＦ回路に接続された第２のスイッチと、前記第２のスイッチに接続され出力が前記第１のデュプレクサに供給される衛星系送信高周波部と、前記第２のスイッチに接続され出力が前記第２のデュプレクサに供給される地上系送信高周波部と、第１の制御信号により前記地上系受信高周波部及び前記地上系送信高周波部が接続されるように前記第１、及び第２のスイッチを制御し、第２の制御信号により前記シンセサイザが前記地上系ＲＦ信号をＩＦ信号に変換するのに適したローカル信号を発生するように制御し、第３の制御信号により前記復調器及び前記変調器を前記地上系システムの変復調方式になるように制御して前記地上系システムの同期語を検出したときは地上系で動作し、前記地上系システムの同期語を検出しないときには、前記第１の制御信号により前記衛星系受信高周波部及び前記衛星系送信高周波部が接続されるように前記第１、及び第２のスイッチを制御し、前記第２の制御信号により前記シンセサイザが前記衛星系ＲＦ信号をＩＦ信号に変換するのに適したローカル信号を発生するように制御し、前記第３の制御信号により前記復調器及び前記変調器を前記衛星系システムの変復調方式になるように制御して前記地上系システムの同期語とは異なる、前記衛星系システムの同期語を検出したときは衛星系で動作し、前記衛星系システムの同期語を検出しないときには、前記第１の制御信号により前記地上系受信高周波部及び前記地上系送信高周波部が接続されるように前記第１、及び第２のスイッチを制御し、前記第２の制御信号により前記シンセサイザが前記地上系ＲＦ信号をＩＦ信号に変換するのに適したローカル信号を発生するように制御し、前記第３の制御信号により前記復調器及び前記変調器を前記衛星系システムの変復調方式になるように制御して前記衛星系システムの同期語を検出したときは衛星中継系で動作するＣＰＵとを有するとともに、前記中継装置は、地上系システムが使用不可能であって衛星系システムの人工衛星が見通せる場所に設置され、前記衛星系の信号を送受信する衛星系アンテナと、前記衛星系アンテナに接続され送受信信号を分波する第１のデュプレクサと、前記第１のデュプレクサに接続され受信信号を増幅する衛星系の低雑音増幅器と、前記衛星系の低雑音増幅器に接続され受信信号を周波数変換するダウンコンバータと、前記ダウンコンバータに接続され前記周波数変換された受信信号を増幅する地上系の高出力増幅器と、前記地上系の高出力増幅器に接続され送受信信号を分波する第２のデュプレクサと、前記第２のデュプレクサに接続され前記地上系の信号を送受信する地上系アンテナと、前記第２のデュプレクサに接続され送信信号を増幅する地上系の低雑音増幅器と、前記地上系の低雑音増幅器に接続され送信信号を周波数変換するアップコンバータと、前記アップコンバータに接続され前記周波数変換された送信信号を増幅する衛星系の高出力増幅器とを有するものである。
また、この発明に係る移動体通信システムは、地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、衛星系ＲＦ信号と地上系ＲＦ信号の変換を行う中継装置とを備える移動体通信システムであって、前記携帯電話機は、前記地上系システムと前記衛星系システムの信号を送受信する共用アンテナと、前記共用アンテナに接続され送受信信号を分波するデュプレクサと、前記デュプレクサに接続され前記地上系システム及び前記衛星系システムの受信信号を共用処理できる受信高周波部と、前記受信高周波部に接続された受信ＩＦ回路と、前記受信ＩＦ回路の出力を復調する復調器と、前記復調器の復調出力が入力されるベースバンド処理部と、前記ベースバンド処理部の出力を変調する変調器と、前記変調器に接続された送信ＩＦ回路と、前記受信ＩＦ回路と前記送信ＩＦ回路にローカル信号を供給するシンセサイザと、前記送信ＩＦ回路に接続され前記地上系システム及び前記衛星系システムの送信信号を共用処理でき出力が前記デュプレクサに供給される送信高周波部と、第１の制御信号により前記シンセサイザが前記地上系ＲＦ信号をＩＦ信号に変換するのに適したローカル信号を発生するように制御し、第２の制御信号により前記復調器及び前記変調器を前記地上系システムの変復調方式になるように制御して前記地上系システムの同期語を検出したときは地上系で動作し、前記地上系システムの同期語を検出しないときには、前記第１の制御信号により前記シンセサイザが前記衛星系ＲＦ信号をＩＦ信号に変換するのに適したローカル信号を発生するように制御し、前記第２の制御信号により前記復調器及び前記変調器を前記衛星系システムの変復調方式になるように制御して前記地上系システムの同期語とは異なる、前記衛星系システムの同期語を検出したときは衛星系で動作し、前記衛星系システムの同期語を検出しないときには、前記第１の制御信号により前記シンセサイザが前記地上系ＲＦ信号をＩＦ信号に変換するのに適したローカル信号を発生するように制御し、前記第２の制御信号により前記復調器及び前記変調器を前記衛星系システムの変復調方式になるように制御して前記衛星系システムの同期語を検出したときは衛星中継系で動作するＣＰＵとを有するとともに、前記中継装置は、地上系システムが使用不可能であって衛星系システムの人工衛星が見通せる場所に設置され、前記衛星系の信号を送受信する衛星系アンテナと、前記衛星系アンテナに接続され送受信信号を分波する第１のデュプレクサと、前記第１のデュプレクサに接続され受信信号を増幅する衛星系の低雑音増幅器と、前記衛星系の低雑音増幅器に接続され受信信号を周波数変換するダウンコンバータと、前記ダウンコンバータに接続され前記周波数変換された受信信号を増幅する地上系の高出力増幅器と、前記地上系の高出力増幅器に接続され送受信信号を分波する第２のデュプレクサと、前記第２のデュプレクサに接続され前記地上系の信号を送受信する地上系アンテナと、前記第２のデュプレクサに接続され送信信号を増幅する地上系の低雑音増幅器と、前記地上系の低雑音増幅器に接続され送信信号を周波数変換するアップコンバータと、前記アップコンバータに接続され前記周波数変換された送信信号を増幅する衛星系の高出力増幅器とを有するものである。
【図面の簡単な説明】
図１はこの発明の実施例１に係る移動体通信システムの携帯電話機の構成を示すブロック図、
図２はこの発明の実施例１に係る移動体通信システムの中継装置の構成を示す図、
図３はこの発明の実施例１に係る携帯電話機の動作を示すフローチャート、
図４はこの発明の実施例２に係る移動体通信システムの携帯電話機の構成を示すブロック図、
図５はこの発明の実施例３に係る移動体通信システムの携帯電話機の構成を示すブロック図、
図６は従来の移動体通信システムの携帯電話機の構成を示す図、
図７は従来の携帯電話機の地上系アンテナ／高周波ユニットと無線制御ユニットの構成を示すブロック図、
図８は従来の移動体通信システムの中継装置の構成を示す図である。
発明を実施するための最良の形態
以下、この発明の各実施例について図面に基づき説明する。
実施例１．
この発明の実施例１に係る携帯電話機及びその中継装置を備えた移動体通信システムについて図面を参照しながら説明する。図１は、この発明の実施例１に係る携帯電話機の構成を示すブロック図である。なお、各図中、同一符号は同一又は相当部分を示す。
図１において、２９は地上系システムと衛星系システムの共用アンテナ、３０は共用アンテナ２９に接続されたデュプレクサ（ＤＩＰ）、３１はデュプレクサ３０の出力を切り替える第１のスイッチ（ＳＷ）、３２は第１のスイッチ３１に接続された衛星系受信高周波部、３３は同じく第１のスイッチ３１に接続された地上系受信高周波部、３４は衛星系受信高周波部３２と地上系受信高周波部３３に接続された第２のスイッチ（ＳＷ）、３５は第２のスイッチ３４に接続された受信ＩＦ回路、１０は受信ＩＦ回路３５に接続された復調器、１１は復調器１０の出力が入力されるベースバンド処理部、１４はベースバンド処理部１１に接続されたキーボード、１５はベースバンド処理部１１からの信号を表示する表示器、１６はベースバンド処理部１１に接続された送受話器である。
また、同図において、１２はベースバンド処理部１１の出力を入力とする変調器、３６は変調器１２に接続された送信ＩＦ回路、３７は受信ＩＦ回路３５と送信ＩＦ回路３６にローカル信号を供給するシンセサイザ、３８は送信ＩＦ回路３６に接続された第３のスイッチ（ＳＷ）、３９は第３のスイッチ３８に接続された衛星系送信高周波部、４０は同じく第３のスイッチ３８に接続された地上系送信高周波部、４１は衛星系送信高周波部３９と地上系送信高周波部４０に接続された第４のスイッチ（ＳＷ）、４２は地上系システムと衛星系システムを制御するＣＰＵである。
また、図２は、この発明の実施例１に係る移動体通信システムの中継装置の構成を示す図である。
図２において、１８は衛星系アンテナ、４３は衛星系アンテナ１８に接続された第１のデュプレクサ（ＤＩＰ）、４４は第１のデュプレクサ４３に接続された衛星系の低雑音増幅器、４５は衛星系の低雑音増幅器４４に接続されたダウンコンバータ（Ｄ／Ｃ）、４６はダウンコンバータ４５に接続された地上系の高出力増幅器、４７は高出力増幅器４６に接続された第２のデュプレクサ（ＤＩＰ）、２６は第２のデュプレクサ４７に接続された地上系アンテナ、４８は第２のデュプレクサ４７に接続された地上系の低雑音増幅器、４９は低雑音増幅器４８に接続されたアップコンバータ（Ｕ／Ｃ）、５０はアップコンバータ４９に接続された衛星系の高出力増幅器である。
つぎに、この実施例１に係る移動体通信システムの携帯電話機及びその中継装置の動作について図面を参照しながら説明する。図３は、この実施例１に係る携帯電話機のＣＰＵの動作を示すフローチャート
まず、図１に示す携帯電話機のキーボード１４、表示器１５、送受話器１６、及びベースバンド処理部１１のの動作は従来例と同様である。
携帯電話機が地上系システムで使用される場合には、共用アンテナ２９で受信された地上系システムの信号は、デュプレクサ３０を経由して第１のスイッチ３１に入力される。
第１のスイッチ３１は、ＣＰＵ４２からの制御信号ｅにより地上系受信高周波部３３に接続され、地上系システムの信号は第２のスイッチ３４に供給される。第２のスイッチ３４も、ＣＰＵ４２からの制御信号ｅにより、地上系受信高周波部３３を選択するように制御されており、第２のスイッチ３４の出力信号は受信ＩＦ回路３５に送られる。
受信ＩＦ回路３５においてシンセサイザ３７からのローカル信号によりＩＦ周波数帯に変換された受信信号は、復調器１０で復調され、ベースバンド処理部１１に送られる。
ここで、シンセサイザ３７のローカル信号の周波数は、ＣＰＵ４２からの制御信号ｄにより、地上系のＲＦ信号周波数帯をＩＦ信号に変換するのに適した周波数に設定されている。
また、復調器１０は、ＣＰＵ４２からの制御信号ｃにより、地上系システムの信号を復調するのに適した復調方式と情報伝送速度に制御されている。
一方、送信系においても、変調器１２は、ＣＰＵ４２からの制御信号ｃにより、地上系システムの信号を変調するのに適した変調方式と情報伝送速度に制御されている。
変調器１２の出力信号は、送信ＩＦ回路３６で地上系システムのＲＦ信号帯域に変換され、第３のスイッチ３８を経由して地上系送信高周波部４０に入力される。
ここで、受信系と同様に、送信ＩＦ回路３６に入力されるシンセサイザ３７からのローカル信号は、ＣＰＵ４２からの制御信号ｄにより、地上系システムに適するように制御されており、また、第３のスイッチ３８は、ＣＰＵ４２からの制御信号ｅにより、送信ＩＦ回路３６の出力信号を地上系送信高周波部４０に接続するように制御されている。
さらに、第４のスイッチ４１も、ＣＰＵ４２からの制御信号ｅにより、地上系送信高周波部４０の出力を選択するように制御されているため、地上系送信高周波部４０の出力は、第４のスイッチ４１、デュプレクサ３０、共用アンテナ２９を経由して地上系システムの基地局に送信される。
次に、携帯電話機が衛星系システムで使用される場合には、共用アンテナ２９、デュプレクサ３０を経由して入力された衛星系システムのＲＦ信号が、衛星系受信高周波部３２を経由して受信ＩＦ回路３５に入力されるように、ＣＰＵ４２からの制御信号ｅにより、第１のスイッチ３１及び第２のスイッチ３４が制御される。
受信ＩＦ回路３５においては、衛星系システムのＲＦ周波数帯がＩＦ信号に変換するのに適したローカル信号によりＩＦ周波数帯に周波数変換される。次に、復調器１０に入力されたＩＦ信号は、衛星系システムに適した復調方式と情報伝送速度により復調され、ベースバンド処理部１１に送られる。
送信系においても、ＣＰＵ４２からの制御信号ｃにより、衛星系システムに適した変調方式と情報伝送速度が変調器１２に設定され、また、ＣＰＵ４２からの制御信号ｄにより、シンセサイザ３７からのローカル信号がＩＦ信号を衛星系システムのＲＦ周波数帯に変換するのに適した周波数に設定される。
送信ＩＦ回路３６からのＲＦ信号が、衛星系送信高周波部３９を経由してデュプレクサ３０に送られるように、ＣＰＵ４２からの制御信号ｅにより、第３のスイッチ３８と第４のスイッチ４１が制御される。
地上系システムが使用不可能な場所においては、衛星系システムが使用されるが、衛星系システムは衛星が見通せない屋内等では使用できない。そこで、このような場所で衛星携帯電話機を使用する場合には、図２に示す衛星中継装置を使用する。
まず、図１に示す携帯電話機において、ＣＰＵ４２は、制御信号ｃにより、復調器１０及び変調器１２に対し衛星系システムの変復調方式と情報伝送速度を設定する。また、ＣＰＵ４２は、シンセサイザ３７に対しては、制御信号ｄにより、地上系システムのＲＦ周波数とＩＦ信号の変換に適したローカル周波数を設定する。さらに、ＣＰＵ４２は、制御信号ｅにより、受信ＲＦ信号が地上系受信高周波部３３を経由するように第１のスイッチ３１と第２のスイッチ３４を制御し、送信ＲＦ信号が地上系送信高周波部４０を経由するように第３のスイッチ３８と第４のスイッチ４１を制御する。
建物の窓際等の衛星が見通せる場所に設置された図２の中継装置は、衛星系アンテナ１８で衛星系システムの受信ＲＦ信号を受信する。
受信された衛星系システムの受信ＲＦ信号は、第１のデュプレクサ４３を経由して衛星系の低雑音増幅器４４で増幅され、ダウンコンバータ４５で地上系システムのＲＦ信号周波数に周波数変換される。
地上系システムのＲＦ信号周波数に変換された受信信号は、地上系の高出力増幅器４６で増幅され、第２のデュプレクサ４７を経由して地上系アンテナ２６より送信される。
地上系アンテナ２６より送信された信号は、地上系システムのＲＦ信号周波数帯であるが、変調方式や情報伝送速度は衛星系システムの信号であり、図１の衛星携帯電話機の共用アンテナ２９で受信されて地上系受信高周波部３３を経由して受信ＩＦ回路３５に入力される。
シンセサイザ３７は受信ＩＦ回路３５において地上系システムのＲＦ周波数帯の信号をＩＦ周波数に変換するようにローカル周波数の設定がなされているために、正しいＩＦ周波数帯の信号が復調器１０に入力される。
ここで、復調器１０では衛星系システムの設定が制御信号ｃによりなされているため、正しい衛星系システムの信号の復調がなされる。
逆に、衛星系システムの設定がなされた変調器１２で変調されたＩＦ信号は、送信ＩＦ回路３６において地上系システムのＲＦ周波数帯信号に変換され、地上系送信高周波部４０を経由して共用アンテナ２９より送信される。
この送信信号は、図２の中継装置の地上系アンテナ２６で受信され、第２のデュプレクサ４７を経由し地上系の低雑音増幅器４８で増幅された後、アップコンバータ４９で衛星系システムのＲＦ周波数帯に周波数変換される。
衛星系システムのＲＦ周波数帯に変換された送信信号は、衛星系の高出力増幅器５０で増幅された後、第１のデュプレクサ４３、衛星系アンテナ１８を経由して衛星に送信される。
ＣＰＵ４２によるこれらの制御シーケンスを図３に示す。すなわち、ステップ１００において、ＣＰＵ４２は、高周波部、シンセサイザ、及び変復調器の設定を地上系システムに制御する。
次に、ステップ１０１〜１０２において、ＣＰＵ４２は、地上系システムの同期語を検出したときは地上系で動作する。
次に、ステップ１０３において、ＣＰＵ４２は、地上系システムの同期語を検出しないときには、高周波部、シンセサイザ、及び変復調器の設定を衛星系システムに制御する。
次に、ステップ１０４〜１０５において、ＣＰＵ４２は、地上系システムの同期語とは異なる、衛星系システムの同期語を検出したときは衛星系で動作する。
次に、ステップ１０６において、ＣＰＵ４２は、衛星系システムの同期語を検出しないときには、高周波部、及びシンセサイザの設定を地上系システムに制御するとともに、変復調器の設定を衛星系システムに制御する。
次に、ステップ１０７〜１０８において、ＣＰＵ４２は、衛星系システムの同期語を検出したときは衛星中継系で動作する。なお、ここではステップ１０４と同じ「衛星系システムの同期語」で判断しても、前ステップの条件がステップ１０４と異なるので、判別可能である。
そして、ＣＰＵ４２は、衛星系システムの同期語を検出しないときには、ステップ１００に戻る。
実施例２．
この発明の実施例２に係る移動体通信システムの携帯電話機について図面を参照しながら説明する。図４は、この発明の実施例２に係る携帯電話機の構成を示すブロック図である。
上記実施例１に係る携帯電話機では、地上系システムと衛星系システムに共通して使用できる共用アンテナ２９を用い、衛星系受信高周波部３２と地上系受信高周波部３３、衛星系送信高周波部３９と地上系送信高周波部４０をスイッチにより切り替えていたが、この実施例２に係る携帯電話機では、図４に示すように、衛星系アンテナと地上系アンテナを別々に設けたもので、上記実施例１と同様の作用効果を奏する。
図４において、１８は衛星系アンテナ、２６は地上系アンテナ、５１は衛星系アンテナ１８に接続された第１のデュプレクサ（ＤＩＰ）、５２は地上系アンテナ２６に接続された第２のデュプレクサ（ＤＩＰ）、３２は第１のデュプレクサ５１に接続された衛星系受信高周波部、３３は第２のデュプレクサ５２に接続された地上系受信高周波部、３４は衛星系受信高周波部３２と地上系受信高周波部３３に接続された第２のスイッチ（ＳＷ）、３５は第２のスイッチ３４に接続された受信ＩＦ回路、１０は受信ＩＦ回路３５に接続された復調器、１１は復調器１０の出力が入力されるベースバンド処理部、１４はベースバンド処理部１１に接続されたキーボード、１５はベースバンド処理部１１からの信号を表示する表示器、１６はベースバンド処理部１１に接続された送受話器である。
また、同図において、１２はベースバンド処理部１１の出力を入力とする変調器、３６は変調器１２に接続された送信ＩＦ回路、３７は受信ＩＦ回路３５と送信ＩＦ回路３６にローカル信号を供給するシンセサイザ、３８は送信ＩＦ回路３６に接続された第３のスイッチ（ＳＷ）、３９は第３のスイッチ３８に接続された衛星系送信高周波部、４０は同じく第３のスイッチ３８に接続された地上系送信高周波部、４２は地上系システムと衛星系システムを制御するＣＰＵである。
実施例３．
この発明の実施例３に係る移動体通信システムの携帯電話機について図面を参照しながら説明する。図５は、この発明の実施例３に係る携帯電話機の構成を示すブロック図である。
上記実施例１に係る携帯電話機では、地上系システムと衛星系システムに共通して使用できる共用アンテナ２９を用い、衛星系受信高周波部３２と地上系受信高周波部３３、衛星系送信高周波部３９と地上系送信高周波部４０をスイッチにより切り替えていたが、この実施例３に係る携帯電話機では、図５に示すように、衛星系システムと地上系システムの信号処理を共用化できる受信高周波部と送信高周波部を設け、衛星系システムと地上系システムの切り替えのためのスイッチを不要としＣＰＵからの制御信号ｅが無くても動作するようにしたもので、上記実施例１と同様の作用効果を奏する。
図５において、２９は地上系システムと衛星系システムの共用アンテナ、５３は共用アンテナ２９に接続されたデュプレクサ（ＤＩＰ）、５４はデュプレクサ５３に接続された受信高周波部、３５は受信高周波部５４に接続された受信ＩＦ回路、１０は受信ＩＦ回路３５に接続された復調器、１１は復調器１０の出力が入力されるベースバンド処理部、１４はベースバンド処理部１１に接続されたキーボード、１５はベースバンド処理部１１からの信号を表示する表示器、１６はベースバンド処理部１１に接続された送受話器である。
また、同図において、１２はベースバンド処理部１１の出力を入力とする変調器、３６は変調器１２に接続された送信ＩＦ回路、３７は受信ＩＦ回路３５と送信ＩＦ回路３６にローカル信号を供給するシンセサイザ、５５は送信ＩＦ回路３６に接続された送信高周波部、４２は地上系システムと衛星系システムを制御するＣＰＵである。
ここで、受信高周波部５４及び送信高周波部５５は、地上系システムと衛星系システムの両方に対応可能なように、例えば、９００ＭＨｚ帯及び２ＧＨｚ帯を含む広帯域化、あるいは９００ＭＨｚ帯及び２ＧＨｚ帯の２周波数帯にチューニングされている。
産業上の利用の可能性
この発明に係る移動体通信システムは、以上説明したとおり、地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、衛星系ＲＦ信号と地上系ＲＦ信号の変換を行う中継装置とを備える移動体通信システムであって、前記携帯電話機は、前記地上系システムと前記衛星系システムの信号を送受信する共用アンテナと、前記共用アンテナに接続され送受信信号を分波するデュプレクサと、前記デュプレクサの出力を切り替える第１のスイッチと、前記第１のスイッチに接続された衛星系受信高周波部と、前記第１のスイッチに接続された地上系受信高周波部と、前記衛星系受信高周波部と前記地上系受信高周波部に接続された第２のスイッチと、前記第２のスイッチに接続された受信ＩＦ回路と、前記受信ＩＦ回路の出力を復調する復調器と、前記復調器の復調出力が入力されるベースバンド処理部と、前記ベースバンド処理部の出力を変調する変調器と、前記変調器に接続された送信ＩＦ回路と、前記受信ＩＦ回路と前記送信ＩＦ回路にローカル信号を供給するシンセサイザと、前記送信ＩＦ回路に接続された第３のスイッチと、前記第３のスイッチに接続された衛星系送信高周波部と、前記第３のスイッチに接続された地上系送信高周波部と、前記衛星系送信高周波部と前記地上系送信高周波部に接続され出力が前記デュプレクサに供給される第４のスイッチと、第１の制御信号により前記地上系受信高周波部及び前記地上系送信高周波部が接続されるように前記第１、第２、第３、及び第４のスイッチを制御し、第２の制御信号により前記シンセサイザが前記地上系ＲＦ信号をＩＦ信号に変換するのに適したローカル信号を発生するように制御し、第３の制御信号により前記復調器及び前記変調器を前記地上系システムの変復調方式になるように制御して前記地上系システムの同期語を検出したときは地上系で動作し、前記地上系システムの同期語を検出しないときには、前記第１の制御信号により前記衛星系受信高周波部及び前記衛星系送信高周波部が接続されるように前記第１、第２、第３、及び第４のスイッチを制御し、前記第２の制御信号により前記シンセサイザが前記衛星系ＲＦ信号をＩＦ信号に変換するのに適したローカル信号を発生するように制御し、前記第３の制御信号により前記復調器及び前記変調器を前記衛星系システムの変復調方式になるように制御して前記地上系システムの同期語とは異なる、前記衛星系システムの同期語を検出したときは衛星系で動作し、前記衛星系システムの同期語を検出しないときには、前記第１の制御信号により前記地上系受信高周波部及び前記地上系送信高周波部が接続されるように前記第１、第２、第３、及び第４のスイッチを制御し、前記第２の制御信号により前記シンセサイザが前記地上系ＲＦ信号をＩＦ信号に変換するのに適したローカル信号を発生するように制御し、前記第３の制御信号により前記復調器及び前記変調器を前記衛星系システムの変復調方式になるように制御して前記衛星系システムの同期語を検出したときは衛星中継系で動作するＣＰＵとを有するとともに、前記中継装置は、地上系システムが使用不可能であって衛星系システムの人工衛星が見通せる場所に設置され、前記衛星系の信号を送受信する衛星系アンテナと、前記衛星系アンテナに接続され送受信信号を分波する第１のデュプレクサと、前記第１のデュプレクサに接続され受信信号を増幅する衛星系の低雑音増幅器と、前記衛星系の低雑音増幅器に接続され受信信号を周波数変換するダウンコンバータと、前記ダウンコンバータに接続され前記周波数変換された受信信号を増幅する地上系の高出力増幅器と、前記地上系の高出力増幅器に接続され送受信信号を分波する第２のデュプレクサと、前記第２のデュプレクサに接続され前記地上系の信号を送受信する地上系アンテナと、前記第２のデュプレクサに接続され送信信号を増幅する地上系の低雑音増幅器と、前記地上系の低雑音増幅器に接続され送信信号を周波数変換するアップコンバータと、前記アップコンバータに接続され前記周波数変換された送信信号を増幅する衛星系の高出力増幅器とを有するので、アンテナ／高周波ユニットを付け替えることなく、地上系システムと衛星系システムとを自動的に切り替えて使用することができるとともに、屋内で衛星系システムを利用する場合に中継装置を簡易な構成とすることができるという効果を奏する。
また、この発明に係る移動体通信システムは、以上説明したとおり、地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、衛星系ＲＦ信号と地上系ＲＦ信号の変換を行う中継装置とを備える移動体通信システムであって、前記携帯電話機は、前記衛星系システムの信号を送受信する衛星系アンテナと、前記地上系システムの信号を送受信する地上系アンテナと、前記衛星系アンテナに接続され衛星系の送受信信号を分波する第１のデュプレクサと、前記地上系アンテナに接続され地上系の送受信信号を分波する第２のデュプレクサと、前記第１のデュプレクサに接続された衛星系受信高周波部と、前記第２のデュプレクサに接続された地上系受信高周波部と、前記衛星系受信高周波部と前記地上系受信高周波部に接続された第１のスイッチと、前記第１のスイッチに接続された受信ＩＦ回路と、前記受信ＩＦ回路の出力を復調する復調器と、前記復調器の復調出力が入力されるベースバンド処理部と、前記ベースバンド処理部の出力を変調する変調器と、前記変調器に接続された送信ＩＦ回路と、前記受信ＩＦ回路と前記送信ＩＦ回路にローカル信号を供給するシンセサイザと、前記送信ＩＦ回路に接続された第２のスイッチと、前記第２のスイッチに接続され出力が前記第１のデュプレクサに供給される衛星系送信高周波部と、前記第２のスイッチに接続され出力が前記第２のデュプレクサに供給される地上系送信高周波部と、第１の制御信号により前記地上系受信高周波部及び前記地上系送信高周波部が接続されるように前記第１、及び第２のスイッチを制御し、第２の制御信号により前記シンセサイザが前記地上系ＲＦ信号をＩＦ信号に変換するのに適したローカル信号を発生するように制御し、第３の制御信号により前記復調器及び前記変調器を前記地上系システムの変復調方式になるように制御して前記地上系システムの同期語を検出したときは地上系で動作し、前記地上系システムの同期語を検出しないときには、前記第１の制御信号により前記衛星系受信高周波部及び前記衛星系送信高周波部が接続されるように前記第１、及び第２のスイッチを制御し、前記第２の制御信号により前記シンセサイザが前記衛星系ＲＦ信号をＩＦ信号に変換するのに適したローカル信号を発生するように制御し、前記第３の制御信号により前記復調器及び前記変調器を前記衛星系システムの変復調方式になるように制御して前記地上系システムの同期語とは異なる、前記衛星系システムの同期語を検出したときは衛星系で動作し、前記衛星系システムの同期語を検出しないときには、前記第１の制御信号により前記地上系受信高周波部及び前記地上系送信高周波部が接続されるように前記第１、及び第２のスイッチを制御し、前記第２の制御信号により前記シンセサイザが前記地上系ＲＦ信号をＩＦ信号に変換するのに適したローカル信号を発生するように制御し、前記第３の制御信号により前記復調器及び前記変調器を前記衛星系システムの変復調方式になるように制御して前記衛星系システムの同期語を検出したときは衛星中継系で動作するＣＰＵとを有するとともに、前記中継装置は、地上系システムが使用不可能であって衛星系システムの人工衛星が見通せる場所に設置され、前記衛星系の信号を送受信する衛星系アンテナと、前記衛星系アンテナに接続され送受信信号を分波する第１のデュプレクサと、前記第１のデュプレクサに接続され受信信号を増幅する衛星系の低雑音増幅器と、前記衛星系の低雑音増幅器に接続され受信信号を周波数変換するダウンコンバータと、前記ダウンコンバータに接続され前記周波数変換された受信信号を増幅する地上系の高出力増幅器と、前記地上系の高出力増幅器に接続され送受信信号を分波する第２のデュプレクサと、前記第２のデュプレクサに接続され前記地上系の信号を送受信する地上系アンテナと、前記第２のデュプレクサに接続され送信信号を増幅する地上系の低雑音増幅器と、前記地上系の低雑音増幅器に接続され送信信号を周波数変換するアップコンバータと、前記アップコンバータに接続され前記周波数変換された送信信号を増幅する衛星系の高出力増幅器とを有するので、アンテナ／高周波ユニットを付け替えることなく、地上系システムと衛星系システムとを自動的に切り替えて使用することができるという効果を奏する。
また、この発明に係る移動体通信システムは、以上説明したとおり、地上系システムと衛星系システムを自動的に切り替えて使用できるとともに、前記地上系システムが使用不可能であって前記衛星系システムの人工衛星が見通せない場所において前記地上系システムと前記衛星系システムの無線インターフェースが異なる場合にはＲＦ信号は前記地上系システムで、ＩＦ信号及びベースバンド信号は前記衛星系システムで信号処理するように切り替える携帯電話機と、衛星系ＲＦ信号と地上系ＲＦ信号の変換を行う中継装置とを備える移動体通信システムであって、前記携帯電話機は、前記地上系システムと前記衛星系システムの信号を送受信する共用アンテナと、前記共用アンテナに接続され送受信信号を分波するデュプレクサと、前記デュプレクサに接続され前記地上系システム及び前記衛星系システムの受信信号を共用処理できる受信高周波部と、前記受信高周波部に接続された受信ＩＦ回路と、前記受信ＩＦ回路の出力を復調する復調器と、前記復調器の復調出力が入力されるベースバンド処理部と、前記ベースバンド処理部の出力を変調する変調器と、前記変調器に接続された送信ＩＦ回路と、前記受信ＩＦ回路と前記送信ＩＦ回路にローカル信号を供給するシンセサイザと、前記送信ＩＦ回路に接続され前記地上系システム及び前記衛星系システムの送信信号を共用処理でき出力が前記デュプレクサに供給される送信高周波部と、第１の制御信号により前記シンセサイザが前記地上系ＲＦ信号をＩＦ信号に変換するのに適したローカル信号を発生するように制御し、第２の制御信号により前記復調器及び前記変調器を前記地上系システムの変復調方式になるように制御して前記地上系システムの同期語を検出したときは地上系で動作し、前記地上系システムの同期語を検出しないときには、前記第１の制御信号により前記シンセサイザが前記衛星系ＲＦ信号をＩＦ信号に変換するのに適したローカル信号を発生するように制御し、前記第２の制御信号により前記復調器及び前記変調器を前記衛星系システムの変復調方式になるように制御して前記地上系システムの同期語とは異なる、前記衛星系システムの同期語を検出したときは衛星系で動作し、前記衛星系システムの同期語を検出しないときには、前記第１の制御信号により前記シンセサイザが前記地上系ＲＦ信号をＩＦ信号に変換するのに適したローカル信号を発生するように制御し、前記第２の制御信号により前記復調器及び前記変調器を前記衛星系システムの変復調方式になるように制御して前記衛星系システムの同期語を検出したときは衛星中継系で動作するＣＰＵとを有するとともに、前記中継装置は、地上系システムが使用不可能であって衛星系システムの人工衛星が見通せる場所に設置され、前記衛星系の信号を送受信する衛星系アンテナと、前記衛星系アンテナに接続され送受信信号を分波する第１のデュプレクサと、前記第１のデュプレクサに接続され受信信号を増幅する衛星系の低雑音増幅器と、前記衛星系の低雑音増幅器に接続され受信信号を周波数変換するダウンコンバータと、前記ダウンコンバータに接続され前記周波数変換された受信信号を増幅する地上系の高出力増幅器と、前記地上系の高出力増幅器に接続され送受信信号を分波する第２のデュプレクサと、前記第２のデュプレクサに接続され前記地上系の信号を送受信する地上系アンテナと、前記第２のデュプレクサに接続され送信信号を増幅する地上系の低雑音増幅器と、前記地上系の低雑音増幅器に接続され送信信号を周波数変換するアップコンバータと、前記アップコンバータに接続され前記周波数変換された送信信号を増幅する衛星系の高出力増幅器とを有するので、アンテナ／高周波ユニットを付け替えることなく、地上系システムと衛星系システムとを自動的に切り替えて使用することができるという効果を奏する。
【図１】
0003734839.tif 000002
【図２】
0003734839.tif 000003
【図３】
0003734839.tif 000004
【図４】
0003734839.tif 000005
【図５】
0003734839.tif 000006
【図６】
0003734839.tif 000007
【図７】
0003734839.tif 000008
【図８】
0003734839.tif 000009